(57)【要約】【課題】リンク先データ（ウェブサイト提供情報）が更新されていても、どの更新バージョンの印刷も可能にした印刷サービスシステムを提供する。【解決手段】ユーザシステム１０１を操作するユーザがサーバシステム１０２にＵＲＬを登録すると、サーバシステム１０２が、この登録ＵＲＬで特定されるリンク先データを定期的にダウンロードし、データベース３０６にバージョン（取得時期情報）とともに保存する。一方、ユーザは、出力拠点装置１０３を操作することによって、サーバシステム１０２に保存されているリンク先データのバージョンの一覧表から１つを選択し、出力拠点装置１０３は、選択されたバージョンのリンク先データをサーバシステム１０２からダウンロードして閲覧して確認し、印刷装置２１４に印刷させる。【選択図】      図３
2005062921.tif 000002
【特許請求の範囲】
【請求項１】
インターネットに接続されたユーザシステム、サーバシステム、および出力拠点装置からなる印刷サービスシステムにおいて、
前記サーバシステムに設けられ、前記ユーザシステムから送信されたウェブサイト識別情報に基づき、該ウェブサイト識別情報で特定されるウェブサイトの提供情報を定期的に取得し、取得時期情報とともに、前記送信されたウェブサイト識別情報に対応させて保存する取得保存手段と、
前記出力拠点装置に設けられ、ユーザからウェブサイト識別情報を指定されたときに、前記取得保存手段によって定期的に取得され保存されたウェブサイト提供情報から、前記指定されたウェブサイト識別情報に関連するウェブサイト提供情報を抽出し、該抽出されたウェブサイト提供情報及び該ウェブサイト提供情報の取得時期情報に関する一覧表をユーザに表示する抽出表示手段と、
前記出力拠点装置に設けられ、前記抽出表示手段によって表示された一覧表の中からユーザによって選択されたウェブサイト提供情報を前記サーバシステムから取得し、該取得されたウェブサイト提供情報に基づき印刷装置に印刷を実行させる取得印刷手段と
を有することを特徴とする印刷サービスシステム。
【請求項２】
インターネットに接続されたユーザシステム、サーバシステム、および出力拠点装置からなる印刷サービスシステムに適用されるウェブサイト情報印刷方法であって、
前記サーバシステムが、前記ユーザシステムから送信されたウェブサイト識別情報に基づき、該ウェブサイト識別情報で特定されるウェブサイトの提供情報を定期的に取得し、取得時期情報とともに、前記送信されたウェブサイト識別情報に対応させて保存する取得保存ステップと、
前記出力拠点装置が、ユーザからウェブサイト識別情報を指定されたときに、前記取得保存ステップによって定期的に取得され保存されたウェブサイト提供情報から、前記指定されたウェブサイト識別情報に関連するウェブサイト提供情報を抽出し、該抽出されたウェブサイト提供情報及び該ウェブサイト提供情報の取得時期情報に関する一覧表をユーザに表示する抽出表示ステップと、
前記出力拠点装置が、前記抽出表示ステップによって表示された一覧表の中からユーザによって選択されたウェブサイト提供情報を前記サーバシステムから取得し、該取得されたウェブサイト提供情報に基づき印刷装置に印刷を実行させる取得印刷ステップと
を有することを特徴とするウェブサイト情報印刷方法。
【請求項３】
前記取得印刷ステップは、
前記取得されたウェブサイト提供情報に基づき画像表示を行わせる表示ステップと、
前記表示ステップによって表示された画像を参照したユーザが印刷指示を行った場合に前記印刷を実行させる印刷実行ステップと
を含むことを特徴とする請求項２に記載のウェブサイト情報印刷方法。
【請求項４】
コンピュータが請求項２に記載のウェブサイト情報方法を実行するためのプログラム。
【請求項５】
請求項４に記載のプログラムをコンピュータ読み出し可能に記憶した記憶媒体。
【発明の詳細な説明】
【０００１】
【発明の属する技術分野】
本発明は、印刷サービスシステム、印刷サービスシステム、ウェブサイト情報印刷方法、プログラムおよび記憶媒体に関し、特に、インターネットに接続されたユーザシステム、サーバシステム、および出力拠点装置からなる印刷サービスシステム、該印刷サービスシステムに適用されるウェブサイト情報印刷方法、該ウェブサイト情報印刷方法をコンピュータに実行させるためのプログラム、及び該プログラムを記憶した記憶媒体に関する。
【０００２】
【従来の技術】
従来、インターネットに接続されたユーザシステム、サーバシステム、および出力拠点装置からなる印刷サービスシステムにおいて、インターネットのウェブサイトからデータを得て、これを出力拠点装置で印刷することが行われていた（例えば、特許文献１参照）。しかしながら、このような印刷サービスシステムでは、ユーザがユーザシステムを介してサーバシステムに対してウェブサイトのＵＲＬ（Ｕｎｉｆｏｒｍ  Ｒｅｓｏｕｒｃｅ  Ｌｏｃａｔｏｒ）を登録しておき、その後、ユーザが出力拠点装置を操作して、サーバシステムに登録されているＵＲＬを取得し、出力拠点装置からそのＵＲＬで特定されるリンク先（ウェブサイト）に接続し、リンク先からデータをダウンロードして印刷を実行していた。
【０００３】
【特許文献１】
特開２００２−３０４２７０号公報、第３頁
【０００４】
【発明が解決しようとする課題】
しかしながら、上記のような従来の印刷サービスシステムでは、出力拠点装置にて印刷対象となるリンク先データは、ユーザによって出力拠点装置に印刷指示が与えられた時点でのリンク先データとなるので、ＵＲＬがサーバシステムに登録された時点以降にリンク先データが更新されていて、印刷指示が与えられた時点よりも前のバージョンのリンク先データ（例えば、ＵＲＬ登録時のバージョンのリンク先データ）に基づく印刷を行うことは不可能であった。
【０００５】
本発明はこのような問題点に鑑みてなされたものであって、リンク先データが更新されていても、どの更新バージョンの印刷も可能にした印刷サービスシステム、ウェブサイト情報印刷方法、プログラムおよび記憶媒体を提供することを目的とする。
【０００６】
【課題を解決するための手段】
上記目的を達成するために、本発明によれば、インターネットに接続されたユーザシステム、サーバシステム、および出力拠点装置からなる印刷サービスシステムにおいて、前記サーバシステムに設けられ、前記ユーザシステムから送信されたウェブサイト識別情報に基づき、該ウェブサイト識別情報で特定されるウェブサイトの提供情報を定期的に取得し、取得時期情報とともに、前記送信されたウェブサイト識別情報に対応させて保存する取得保存手段と、前記出力拠点装置に設けられ、ユーザからウェブサイト識別情報を指定されたときに、前記取得保存手段によって定期的に取得され保存されたウェブサイト提供情報から、前記指定されたウェブサイト識別情報に関連するウェブサイト提供情報を抽出し、該抽出されたウェブサイト提供情報及び該ウェブサイト提供情報の取得時期情報に関する一覧表をユーザに表示する抽出表示手段と、前記出力拠点装置に設けられ、前記抽出表示手段によって表示された一覧表の中からユーザによって選択されたウェブサイト提供情報を前記サーバシステムから取得し、該取得されたウェブサイト提供情報に基づき印刷装置に印刷を実行させる取得印刷手段とを有することを特徴とする印刷サービスシステムが提供される。
【０００７】
また、インターネットに接続されたユーザシステム、サーバシステム、および出力拠点装置からなる印刷サービスシステムに適用されるウェブサイト情報印刷方法であって、前記サーバシステムが、前記ユーザシステムから送信されたウェブサイト識別情報に基づき、該ウェブサイト識別情報で特定されるウェブサイトの提供情報を定期的に取得し、取得時期情報とともに、前記送信されたウェブサイト識別情報に対応させて保存する取得保存ステップと、前記出力拠点装置が、ユーザからウェブサイト識別情報を指定されたときに、前記取得保存ステップによって定期的に取得され保存されたウェブサイト提供情報から、前記指定されたウェブサイト識別情報に関連するウェブサイト提供情報を抽出し、該抽出されたウェブサイト提供情報及び該ウェブサイト提供情報の取得時期情報に関する一覧表をユーザに表示する抽出表示ステップと、前記出力拠点装置が、前記抽出表示ステップによって表示された一覧表の中からユーザによって選択されたウェブサイト提供情報を前記サーバシステムから取得し、該取得されたウェブサイト提供情報に基づき印刷装置に印刷を実行させる取得印刷ステップとを有することを特徴とするウェブサイト情報印刷方法が提供される。
【０００８】
さらに、上記ウェブサイト情報印刷方法をコンピュータに実行させるためのプログラム、及び上記ウェブサイト情報印刷方法をプログラムとして記憶した、コンピュータにより読み出し可能な記憶媒体が提供される。
【０００９】
【発明の実施の形態】
以下、本発明の実施の形態を、図面を参照して説明する。
【００１０】
図１は、本発明に係るネットワークを介した印刷サービスシステム全体における一実施の形態の構成を示す図である。
【００１１】
印刷サービスシステムは、複数のユーザシステム１０１ａ〜１０１ｃとサーバシステム１０２と複数の出力拠点装置１０３ａ〜１０３ｃとで構成され、これらが互いにインターネット等のネットワーク１００を介して常時接続される。なお、ユーザシステム１０１ａ〜１０１ｃは、ネットワーク１００に対してダイアルアップ接続される構成であってもよい。また、ユーザシステム１０１ａ〜１０１ｃおよび出力拠点装置１０３ａ〜１０３ｃは、図１では各３台図示されるが、この台数に限定されるものではないとともに、ユーザシステム１０１ａ〜１０１ｃは例えば個人の自宅や会社などに設置され、出力拠点装置１０３ａ〜１０３ｃはそれぞれプリンタに接続され、例えばコンビニエンスストアなどに設置される。
【００１２】
なお、複数のユーザシステム１０１ａ〜１０１ｃは各々同様の構成を備えており、以下の説明では、複数のユーザシステム１０１ａ〜１０１ｃのいずれか１つを代表として取り上げ、これをユーザシステム１０１と記すことにする。
【００１３】
同様に、複数の出力拠点装置１０３ａ〜１０３ｃは各々同様の構成を備えており、以下の説明では、複数の出力拠点装置１０３ａ〜１０３ｃのいずれか１つを代表として取り上げ、これを出力拠点装置１０３と記すことにする。
【００１４】
ユーザシステム１０１は、ユーザが直接操作を行うための情報端末装置（ＣＰＵ、ＲＯＭ、ＲＡＭ、ＨＤＤ等から構成されるコンピュータシステムであり、図２を参照して後述する）である。
【００１５】
ユーザシステム１０１は、ウェブブラウザ機能及びサーバシステム１０２へのＵＲＬ登録機能を実現する専用アプリケーションを備えており、この専用アプリケーションを起動することによって、ユーザは任意のウェブサイトを閲覧することができるとともに、ユーザの指定するウェブサイトのＵＲＬ（ウェブサイト識別情報）をサーバシステム１０２に登録することができる。
【００１６】
サーバシステム１０２は、主としてユーザシステム１０１または出力拠点装置１０３からの要求に基づいて処理を行う情報処理装置である。
【００１７】
サーバシステム１０２は、ユーザシステム１０１からの要求に基づいて、ユーザシステム１０１がアップロードするＵＲＬを、ネットワーク１００を介して受信し、該ＵＲＬを登録するための機能を有する。
【００１８】
また、ユーザシステム１０１から受信したＵＲＬに基づいて、ネットワーク１００を介して、ＵＲＬで特定されるリンク先に接続し、ＵＲＬリンク先のデータを取得し、保管する機能を有する。
【００１９】
またサーバシステム１０２は、出力拠点装置１０３におけるユーザが指定したＵＲＬリンク先データ（ウェブサイト提供情報）を出力拠点装置１０３に送信し、それに基づいて印刷を行わせる機能を有する。
【００２０】
出力拠点装置１０３は、ユーザがサーバシステム１０２に対して処理の要求を行う際に操作される情報端末装置である。
【００２１】
出力拠点装置１０３は、ユーザの要求をサーバシステム１０２に送信する機能や、この要求送信に対してサーバシステム１０２が返信するＵＲＬ及びＵＲＬリンク先データを受信する機能を有する。
【００２２】
図２は、ユーザシステム１０１、サーバシステム１０２及び出力拠点装置１０３の構成を示す図である。なお、ユーザシステム１０１、サーバシステム１０２及び出力拠点装置１０３は、ほぼ同一の構成の情報処理装置からなるので、ここでは、１つの図を用いて説明をする。
【００２３】
図２中の２０１は、情報処理装置の演算・制御を司る中央演算装置（以下「ＣＰＵ」という）である。
【００２４】
２０２は、ランダムアクセスメモリ（以下「ＲＡＭ」という）であり、ＣＰＵ２０１の主メモリとして、また実行プログラムの格納領域や該プログラムの実行エリアおよびデータエリアとして機能する。
【００２５】
２０３は、ＣＰＵ２０１の動作処理手順を記憶しているリードオンリーメモリ（以下「ＲＯＭ」という）である。ＲＯＭ２０３は、情報処理装置の機器制御を行うシステムプログラムである基本ソフト（ＯＳ）を記録したプログラムＲＯＭと、システムを稼動させるために必要な情報等が記録されているデータＲＯＭとから構成される。ＲＯＭ２０３の代わりに後述のＨＤＤ２１２をこれらの記録に用いる場合もある。
【００２６】
２０４は、フロッピー（登録商標）ディスクドライブ（ＦＤＤ）やＣＤ−ＲＯＭドライブのような外部記憶メディアのデータ入出力装置であり、それぞれに対応した記憶メディアの情報を入出力する機能を有する。以下、総称して「ＣＤ−ＲＯＭ」と呼ぶ。
【００２７】
２０５は、ネットワークインターフェース（以下「ＮＥＴＩＦ」という）であり、後述するモデム２０６を介して外部ネットワークに接続するものである。ＮＥＴＩＦ２０５は、ネットワークを介して情報処理装置間でデータ転送を行う際の制御や接続状況の診断を行う。
【００２８】
２０６は、モデム等の信号変換器であり、外部ネットワークと情報処理装置とを電話回線等を介して接続し、データの通信を行う機器である。以下「モデム」と呼ぶ。
【００２９】
２０７は、ビデオＲＡＭであり、情報処理装置の稼動状態を表示する後述のＣＲＴ２０８の画面に表示すべき画像を展開し、その表示の制御を行う機能を有する。以下「ＶＲＡＭ」と呼ぶ。
【００３０】
２０８は、表示装置であり、例えばＣＲＴ等のディスプレイ装置である。以下「ＣＲＴ」と呼ぶ。
【００３１】
２０９は、後述する外部入力装置２１０及び２１１からの入力信号を制御するコントローラ（以下「ＫＢＣ」という）である。
【００３２】
２１０は、情報処理装置のユーザが入力操作を行うためのキーボード（以下「ＫＢ」という）である。
【００３３】
２１１は、情報処理装置の利用者が入力操作を行うためのポインティングデバイス（以下「マウス」という）である。
【００３４】
２１２は、ハードディスクドライブ（以下「ＨＤＤ」という）であり、アプリケーションプログラムや各種データ保存用に用いられる。本実施の形態におけるアプリケーションプログラムとは、本実施の形態で実行される各種処理の手順が記述されたソフトウェアプログラム等のことである。
【００３５】
２１３は、後述するＰＲＴ２１４を制御するプリンタコントローラ（以下「ＰＲＴＣ」という）である。
【００３６】
２１４は、プリンタ（以下「ＰＲＴ」という）である。
【００３７】
なお、ユーザシステム１０１は、図２に示す情報処理装置におけるＣＤ−ＲＯＭ２０４、ＰＲＴＣ２１３及びＰＲＴ２１４を必ずしも備える必要はない。
【００３８】
またサーバシステム１０２は、図２に示す情報処理装置におけるＣＤ−ＲＯＭ２０４、ＫＢ２１０、マウス２１１、ＰＲＴＣ２１３及びＰＲＴ２１４を必ずしも備える必要はない。
【００３９】
また出力拠点装置１０３は、図２に示す情報処理装置におけるＣＤ−ＲＯＭ２０４を必ずしも備える必要はない。
【００４０】
さらに、ＣＲＴ２０８にタッチパネル等を備えることで、ＫＢ２１０とマウス２１１と不要にすることもできる。
【００４１】
図３は、ユーザシステム１０１、サーバシステム１０２、および出力拠点装置１０３の相互間で行われる各処理を示した図である。
【００４２】
図３中のユーザシステム１０１は、図２に示す情報処理装置内のＲＯＭ２０３またはＨＤＤ２１２に格納されている、ウェブブラウザ機能及びＵＲＬ登録機能を実現する専用アプリケーション等を用いて任意のウェブサイト３０２に接続する［３０１］。
【００４３】
この接続の結果、ユーザシステム１０１はウェブブラウザ機能によってウェブサイト３０２のデータ（リンク先データ）を閲覧するべく、データを取得する［３０３］。
【００４４】
ユーザシステム１０１は、データを閲覧したウェブサイト３０２のＵＲＬをサーバシステム１０２に登録するべく、アプリケーションの機能によって登録処理を行う［３０４］。
【００４５】
サーバシステム１０２は、ユーザシステム１０１から受信したＵＲＬをデータベース３０６に登録する［３０５］。
【００４６】
また、サーバシステム１０２は、ユーザシステム１０１から受信したＵＲＬを利用してウェブサイト３０２からデータ（ＵＲＬリンク先データ）をダウンロードする［３０７］。なお、ユーザの設定によっては、ＵＲＬリンク先データのバージョン管理を行うため（常時、最新のＵＲＬリンク先データを獲得するため）、ＵＲＬリンク先データの取得を定期的に行う。
【００４７】
サーバシステム１０２は、ダウンロードしたウェブサイト３０２のＵＲＬリンク先データを、ＵＲＬと対応付けてデータベース３０６に格納する［３０８］。
【００４８】
次にユーザが出力拠点装置１０３に対して操作を行い、出力拠点装置１０３をサーバシステム１０２に接続し、ＵＲＬリンク先データを指定してその取得要求を行う［３０９］。
【００４９】
サーバシステム１０２は、この取得要求に応じて、指定されたＵＲＬリンク先データをデータベース３０６から取得し［３１０］、これを出力拠点装置１０３に送信する［３１１］。
【００５０】
このＵＲＬリンク先データを受信した出力拠点装置１０３は、ユーザの操作に従い、該ＵＲＬリンク先データをＰＲＴ２１４に送ってＰＲＴ２１４に印刷を指示する［３１２］。これによって、ＵＲＬリンク先データがＰＲＴ２１４において印刷される。
【００５１】
図４は、サーバシステム１０２内の情報処理機能を示す機能図である。
【００５２】
図４中の４０１は通信部であり、通信部４０１は、ユーザシステム１０１または出力拠点装置１０３との間で、モデム２０６を介してデータの受け渡しを行う。
【００５３】
４０２はサーバ処理群であり、サーバシステム１０２内の複数の処理の集まりである。サーバ処理群４０２において、４０３はユーザ処理、４０４はＵＲＬ登録処理、４０５はＵＲＬ参照処理、４０６はＵＲＬリンク先データ登録処理、４０７はＵＲＬリンク先データ参照処理である。サーバ処理群４０２の各処理機能は、サーバシステム１０２内のＲＯＭ２０３またはＨＤＤ２１２に格納され、ＲＡＭ２０２に展開されてＣＰＵ２０１で使用されるアプリケーションプログラム、またプログラムの一部として動作するモジュールの集まりによって実現される。
【００５４】
４０８は情報格納部であり、図２のＨＤＤ２１２及びＲＡＭ２０２の少なくとも１つ、並びに図３のデータベース３０６に相当し、テーブル群４０８ＡおよびＵＲＬリンク先データ実体４０８Ｂを含む。
【００５５】
図４中の矢印は、通信部４０１、サーバ処理群４０２及び情報格納部４０８の間の制御や情報の流れを表している。
【００５６】
次に、図４および図２を参照して、サーバシステム１０２の動作を説明する。まず、主に図２を参照して、サーバシステム１０２の動作をハードウェア構成に従って説明する。
【００５７】
サーバシステム１０２は、通信部４０１を用いてユーザシステム１０１及び出力拠点装置１０３とデータの通信を行い、データをＲＡＭ２０２に展開し、ＣＰＵ２０１に伝える。
【００５８】
ＣＰＵ２０１で演算を行い、情報格納部４０８に格納された情報を、ＲＯＭ２０２、ＨＤＤ２１２あるいはＲＡＭ２０２等に展開し、ＣＰＵ２０１へ伝える。必要がある場合は、ＣＰＵ２０１で演算した結果の情報を、ＲＡＭ２０２、ＨＤＤ２０９等に存在する情報格納部４０８に書き込む。同時に、ＣＰＵ２０１での演算処理結果を、必要がある場合は、ユーザシステム１０１または出力拠点装置１０３に送信する。
【００５９】
ＣＰＵ２０１、ＲＡＭ２０２、ＲＯＭ２０３、ＮＥＴＩＦ２０５、ＶＲＡＭ２０７、ＫＢＣ２０９、ＨＤＤ２１２の相互間の伝送は伝送バス２００を通じて行われる。
【００６０】
次に、図４に示す機能構成に沿ってサーバシステム１０２の動作を説明する。
【００６１】
なお、ユーザシステム１０１を操作するユーザは、既に印刷サービスの登録ユーザであることを前提とする。そのため、実際の印刷サービスにおいては、ユーザがユーザシステム１０１を操作して、ユーザシステム１０１をサーバシステム１０２に接続する際には、ユーザ登録やユーザ認証の処理が行われる必要あるが、以下の説明では、これらの処理は既に行われていることとする。
【００６２】
また、サーバシステム１０２では自動的に処理が行われ、通常の運用においてはサーバシステム１０２に対して操作者による操作が不要である。さらに、出力拠点装置１０３を操作するユーザは、ユーザシステム１０１を操作してサーバシステム１０２にＵＲＬを登録したユーザである。
【００６３】
図４において、ユーザ処理４０３は、ユーザシステム１０１及び出力拠点装置１０３から要求に応じてユーザを登録するユーザ登録処理や、ユーザが登録されていることを確認するためのユーザ認証処理を行う。登録されたユーザに関するデータは情報格納部４０８内のテーブル群４０８Ａに格納される（具体的には、図８を参照して後述するユーザ情報テーブル８００内に格納される）。
【００６４】
またユーザ処理４０３は、ユーザ登録が完了する際、印刷サービス内の登録ユーザに対して個別に与えられるユニークなＩＤであるユーザＩＤを発番する機能を有する。
【００６５】
さらにユーザ処理４０３は、ユーザ認証を行うために、情報格納部４０８内のテーブル群４０８Ａに格納されている該当のユーザ情報を抽出することができる。
【００６６】
ＵＲＬ登録処理４０４は、印刷サービスの登録ユーザがユーザシステム１０１を用いてサーバシステム１０２に対して任意のウェブサイト３０２のＵＲＬを登録するときに実行される。このときＵＲＬは、情報格納部４０８内のテーブル群４０８Ａに登録される（具体的には、図９を参照して後述する登録ＵＲＬテーブル９００内に格納される）。
【００６７】
またＵＲＬ登録処理４０４は、ＵＲＬの登録が完了する際、印刷サービス内の登録ＵＲＬに対して個別に与えられるユニークなＩＤである登録ＵＲＬＩＤ９０１（図９）を発番する機能を有する。
【００６８】
ＵＲＬ参照処理４０５は、ＵＲＬ登録処理４０４を行ったユーザが、ユーザシステム１０１または出力拠点装置１０３から、登録したＵＲＬを参照する時に行われる処理である。
【００６９】
ＵＲＬリンク先データ登録処理４０６は、ユーザシステム１０１を操作するユーザが、ＵＲＬ登録処理４０４によって任意のＵＲＬの登録要求を行った時に、そのＵＲＬで特定されるリンク先からデータを取得し、そのデータを情報格納部４０８内のテーブル群４０８Ａ及びＵＲＬリンク先データ実体４０８Ｂに登録する機能を有する。
【００７０】
またＵＲＬリンク先データ登録処理４０６は、ＵＲＬリンク先データの登録が完了する際、印刷サービス内の登録ＵＲＬリンク先データに対して個別に与えられるユニークなＩＤであるＵＲＬリンク先データ登録ＩＤ１００１（図１０を参照して後述）を発番する機能を有する。
【００７１】
ＵＲＬリンク先データ参照処理４０７は、ＵＲＬ登録処理４０４を行ったユーザが、ユーザシステム１０１または出力拠点装置１０３から登録したＵＲＬリンク先データを参照する時に行われる処理である。
【００７２】
情報格納部４０８は、前述のように、ユーザ情報、登録ＵＲＬ及びＵＲＬリンク先データに係わるテーブル群４０８Ａと、ＵＲＬリンク先データ実体４０８Ｂとから構成される。テーブル群４０８Ａには、後述する図８のユーザ情報テーブル８００、図９の登録ＵＲＬテーブル９００、及び図１０のＵＲＬリンク先データ情報テーブル１０００が含まれる。
【００７３】
図５は、ユーザがユーザシステム１０１を操作してサーバシステム１０２に対してＵＲＬの登録を行う際のユーザシステム１０１およびサーバシステム１０２で実行される登録処理の手順を示すフローチャートである。
【００７４】
ステップＳ５０１では、ユーザシステム１０１が、ユーザシステム１０１のＲＯＭ２０３またはＨＤＤ２１２内に格納されている、ウェブブラウザ機能及びＵＲＬ登録機能を実現する専用アプリケーションを起動する。
【００７５】
ステップＳ５０２では、ステップＳ５０１で起動されたアプリケーションを用いて、ユーザシステム１０１が、任意のウェブサイトに接続する。
【００７６】
ステップＳ５０３では、ステップＳ５０２で接続したウェブサイトを閲覧するために、ＵＲＬリンク先データをダウンロードする。
【００７７】
ステップＳ５０４では、ユーザが、ステップＳ５０３で閲覧しているウェブサイトのＵＲＬをサーバシステム１０２に登録することを指示しているか否かを判断する。なお、ＵＲＬのサーバシステム１０２への登録は、専用アプリケーションによって実現することができる。
【００７８】
ユーザが、閲覧しているウェブサイトのＵＲＬをサーバシステム１０２に登録することを指示しているならばステップＳ５０５に進み、ＵＲＬを登録しないことを指示しているならば本ＵＲＬ登録処理を終了する。
【００７９】
ステップＳ５０５では、ユーザシステム１０１をサーバシステム１０２に接続する。この際、サーバシステム１０２内ではユーザシステム１０１の操作をしているユーザのユーザ認証等を行う。
【００８０】
ステップＳ５０６では、ユーザシステム１０１からサーバシステム１０２へＵＲＬの登録要求が行われ、サーバシステム１０２では、ＵＲＬの登録が行われる。その後、ＵＲＬの登録の結果（成功または失敗）がサーバシステム１０２からユーザシステム１０１に送信され、本ＵＲＬ登録処理を終了する。
【００８１】
図６は、サーバシステム１０２で実行されるリンク先データの登録処理の手順を示すフローチャートである。
【００８２】
この登録処理では、サーバシステム１０２が、ユーザシステム１０１から要求されたＵＲＬの登録を行い、また該ＵＲＬで特定されるリンク先（ウェブサイト）からＵＲＬリンク先データを取得して、これを登録する。
【００８３】
ステップＳ６０１では、ユーザがユーザシステム１０１を操作して、サーバシステム１０２に対するＵＲＬの登録を要求すると、ユーザシステム１０１がサーバシステム１０２に接続する。
【００８４】
ステップＳ６０２では、サーバシステム１０２が、ユーザシステム１０１から送信されるＵＲＬを受信する。
【００８５】
ステップＳ６０３では、受信したＵＲＬで特定されるリンク先（ウェブサイト）に、サーバシステム１０２はＵＲＬリンク先データ登録処理４０６（図４）の機能を用いて接続する。
【００８６】
ステップＳ６０４では、接続されたリンク先から、サーバシステム１０２はＵＲＬリンク先データ登録処理４０６の機能を用いて、リンク先データをサーバシステム１０２にダウンロードする。
【００８７】
ステップＳ６０５では、ステップＳ６０２で受信したＵＲＬをサーバシステム１０２は、情報格納部４０８内のテーブル群４０８Ａ（図９の登録ＵＲＬテーブル９００）に登録する。
【００８８】
ステップＳ６０６では、ステップＳ６０４でダウンロードしたＵＲＬリンク先データ等をサーバシステム１０２は、情報格納部４０８内のテーブル群４０８Ａ及びＵＲＬリンク先データ実体４０８Ｂに登録する。具体的には、ＵＲＬリンク先データに関する情報は、テーブル群４０８Ａ内のＵＲＬリンク先データ情報テーブル１０００（図１０）に格納され、ＵＲＬリンク先データの実体は、ＵＲＬリンク先データ４０８Ｂに格納される。
【００８９】
図７は、出力拠点装置１０３で実行される印刷処理の手順を示すフローチャートである。
【００９０】
この印刷処理では、ユーザが出力拠点装置１０３を操作して、サーバシステム１０２に登録されているＵＲＬリンク先データのうち所望のデータを選択し、内容を確認の上、出力拠点装置１０３に設置されているＰＲＴ２１４に対して印刷を行わせる。
【００９１】
ステップＳ７０１では、ユーザが出力拠点装置１０３を操作して、出力拠点装置１０３内のＲＯＭ２０３またはＨＤＤ２１２に格納されている、ウェブブラウザ機能及び接続機能を実現する専用アプリケーションを用いて、出力拠点装置１０３をサーバシステム１０２に接続し、サーバシステム１０２に登録されているＵＲＬの一覧を送信するようにサーバシステム１０２に取得要求を行う。この登録ＵＲＬの一覧は、後述する図９に示す登録ＵＲＬテーブル９００の登録ＵＲＬＩＤ９０１に格納されている。
【００９２】
ステップＳ７０２では、サーバシステム１０２から送られた登録ＵＲＬの一覧を、出力拠点装置１０３はＣＲＴ２０８に表示する。
【００９３】
ステップＳ７０３では、ユーザが、ＣＲＴ２０８に表示された登録ＵＲＬの一覧から任意のＵＲＬを選択する。
【００９４】
ステップＳ７０４では、出力拠点装置１０３が、ステップＳ７０３で選択されたＵＲＬで特定されるリンク先のＵＲＬリンク先データにおけるバージョン（取得時期情報）一覧をサーバシステム１０２から取得し、ＣＲＴ２０８に表示する。
【００９５】
ステップＳ７０５では、ステップＳ７０４で表示されたＵＲＬリンク先データのバージョン一覧から、ユーザが任意のバージョンを選択する。
【００９６】
ステップＳ７０６は、出力拠点装置１０３が、ステップＳ７０５で選択されたバージョンに対応する登録ＵＲＬＩＤ９０１及びＵＲＬリンク先データ登録ＩＤ９０６（図９を参照して後述）をサーバシステム１０２に送信する。
【００９７】
ステップＳ７０７では、出力拠点装置１０３が、ステップＳ７０５で選択されたバージョンのＵＲＬリンク先データをサーバシステム１０２から受信する。
【００９８】
ステップＳ７０８では、ステップＳ７０７で受信したＵＲＬリンク先データを出力拠点装置１０３のＣＲＴ２０８に表示する。
【００９９】
ステップＳ７０９では、ステップＳ７０８で表示されたＵＲＬリンク先データに基づき、出力拠点装置１０３に設置されているＰＲＴ２１４に出力を行わせるか否かの指示をユーザから受け取り、該指示がＰＲＴ２１４に出力を行わせること（印刷）であればステップＳ７１０に進み、該指示がＰＲＴ２１４に出力を行わせないことであれば本印刷処理を終了する。
【０１００】
ステップＳ７１０では、出力拠点装置１０３が、出力拠点装置１０３に設置されているＰＲＴ２１４に対して印刷指示を行う。
【０１０１】
図８は、情報格納部４０８内のテーブル群４０８Ａを構成するユーザ情報テーブル８００のメモリ構成の例を示す図である。
【０１０２】
ユーザ情報テーブル８００は、主に印刷サービスのユーザ情報管理のために使用されるものであり、ユーザ毎のユーザ情報が各種格納される。
【０１０３】
図８において８０１はユーザＩＤ欄であり、ユーザシステム１０１または出力拠点装置１０３を操作するユーザに対して個別に与えられるシステム上でユニークなＩＤが記載される。
【０１０４】
８０２は、パスワード欄であり、ユーザＩＤ欄８０１に記載されたＩＤで特定されるユーザに与えられるパスワードが記載される。このパスワードは、ユーザシステム１０１がサーバシステム１０２に接続された時に行われるユーザ認証等において使用される。
【０１０５】
８０３、８０４、８０５、８０６及び８０７は、ユーザシステム１０１または出力拠点装置１０３を操作するユーザの個人情報（ユーザ名、郵便番号、住所、Ｅ−Ｍａｉｌ、電話番号）がそれぞれ記載される欄であり、該個人情報は、ユーザがサーバシステム１０２に対して印刷サービスのユーザ登録を行う時等に必要となる情報である。
【０１０６】
８０８は、ユーザＩＤ有効期限欄であり、ユーザＩＤ８０１欄に記載されるＩＤの有効期限が記載される。このユーザＩＤ有効期限は、サーバシステム１０２上で設定しているユーザＩＤの有効期間と、ユーザが印刷サービスの利用者としてユーザ登録した日時とから算出される。
【０１０７】
図９は、情報格納部４０８内のテーブル群４０８Ａを構成する登録ＵＲＬテーブル９００のメモリ構成の例を示す図である。
【０１０８】
このテーブルは、ユーザシステム１０１を操作するユーザがサーバシステム１０２にＵＲＬを登録する時に使用される。
【０１０９】
図９において９０１は、登録ＵＲＬＩＤ欄であり、ユーザが登録したＵＲＬに対して個別に与えられるシステム上でユニークなＩＤが記載される。
【０１１０】
９０２は、ユーザＩＤ欄であり、登録ＵＲＬＩＤ欄９０１に記載されたＩＤに対応するＵＲＬを登録したユーザを特定するため、または該ユーザが登録したＵＲＬを特定するためのＩＤが記載される。
【０１１１】
９０３は、ＵＲＬ欄であり、登録ＵＲＬＩＤ欄９０１に記載されるＩＤに対応するユーザが登録したＵＲＬが記載される。
【０１１２】
９０４は、登録日時欄であり、ユーザシステム１０１がＵＲＬをサーバシステム１０２に登録した日時が記載される。
【０１１３】
９０５は、有効期限欄であり、サーバシステム１０２上で設定しているＵＲＬの有効期間と、ユーザがＵＲＬを登録した日時とから算出された有効期限が記載される。
【０１１４】
９０６（１）、９０６（２）、・・・、９０６（Ｎ）はそれぞれ、ＵＲＬリンク先データ登録ＩＤ欄であり、前述の図６のステップＳ６０４でダウンロードしたＵＲＬリンク先データを、後述する図１０のＵＲＬリンク先データ情報テーブル１０００に格納する際に発行されるＵＲＬリンク先データ登録ＩＤ１００１に関連付けられたＩＤが記載される。データベース３０６の初期設定により、Ｎ個のＵＲＬリンク先データ登録ＩＤ欄９０６（１）、９０６（２）、・・・、９０６（Ｎ）が設定され、上記ＩＤはＮ個まで登録することが可能となり、それによって、Ｎ個までＵＲＬリンク先データのバージョン管理を行うことができるようになる。
【０１１５】
９０７は、バージョン管理の有無欄であり、ユーザがサーバシステム１０２に対して設定したＵＲＬリンク先データのバージョン管理の有無が記載される。
【０１１６】
図１０は、情報格納部４０８内のテーブル群４０８Ａを構成するＵＲＬリンク先データ情報テーブル１０００のメモリ構成の例を示す図である。
【０１１７】
図１０中１００１は、ＵＲＬリンク先データ登録ＩＤ欄であり、サーバシステム１０２に登録されたＵＲＬリンク先データに個別に与えられるシステム上でユニークなＩＤが記載される。
【０１１８】
１００２は、ＵＲＬリンク先データ情報欄であり、前述の図６のステップＳ６０４でダウンロードされ、図４のＵＲＬリンク先データ実体４０８Ｂに格納されるＵＲＬリンク先データの格納場所が記載される。
【０１１９】
１００３は、登録日時欄であり、ユーザがＵＲＬリンク先データをＵＲＬリンク先データ情報テーブル１０００に登録した日時が記載される。この登録日時によってＵＲＬリンク先データのバージョンが管理される。
【０１２０】
１００４は、有効期限欄であり、サーバシステム１０２上で設定しているＵＲＬリンク先データの有効期間と、ユーザがＵＲＬリンク先データを登録した日時とから算出される有効期限が記載される。
【０１２１】
図１１は、ユーザシステム１０１を操作するユーザが、ＵＲＬ登録機能を備えたアプリケーションを用いて、任意のウェブサイトのＵＲＬをサーバシステム１０２に登録するときに操作する画面を示す図である。
【０１２２】
図１１中１１０１は、閲覧中の画面のＵＲＬをサーバシステム１０２に登録するように指示するためのボタンを表し、このボタンを押下することによって、ＵＲＬをサーバシステム１０２に登録する処理が実行される。
【０１２３】
１１０２は、閲覧中の画面のＵＲＬが表示される表示欄であり、ボタン１１０１を押下することによって、この表示欄１１０２に表示されているＵＲＬがサーバシステム１０２に登録される。
【０１２４】
１１０３は、閲覧中の画面が表示される画面表示欄である。
【０１２５】
図１２は、ユーザシステム１０１を操作するユーザが、図１１のＵＲＬ登録用のボタン１１０１を押下した場合にＣＲＴ２０８に表示される登録確認メッセージを示す図である。
【０１２６】
図１２中１２０１は、ＵＲＬを登録する場合にユーザが操作するボタンであり、これを押下することによって、ＣＲＴ２０８に表示される画面は、後述する図１３に示す画面に遷移する。
【０１２７】
１２０２は、ＵＲＬの登録をキャンセルする場合にユーザが操作するボタンであり、これを押下することによって、サーバシステム１０２へのＵＲＬの登録はキャンセルされる。
【０１２８】
図１３は、図１２に示すボタン１２０１が押下されたときにＣＲＴ２０８に表示される画面を示す図である。
【０１２９】
この画面は、ユーザがＵＲＬをサーバシステム１０２に登録する時に、ＵＲＬリンク先データのバージョン管理を行うか否かを設定するため使用される画面である。
【０１３０】
図１３中１３０１は、登録ＵＲＬで特定されるＵＲＬリンク先データのバージョン管理を行う場合にユーザによって操作されるボタンであり、これを押下することによって、サーバシステム１０２が、登録ＵＲＬで特定されるＵＲＬリンク先データを定期的に取得して保存するバージョン管理を行う。
【０１３１】
１３０２は、登録ＵＲＬで特定されるＵＲＬリンク先データのバージョン管理を行わない場合にユーザによって操作されるボタンであり、これを押下することによって、ＵＲＬ登録時にのみサーバシステム１０２が、登録ＵＲＬで特定されるＵＲＬリンク先データを取得して保存し、それ以後はＵＲＬリンク先データの取得を行わない。
【０１３２】
図１４は、図１３のボタン１３０１またはボタン１３０２をユーザが押下した後にＣＲＴ２０８に表示される画面である。
【０１３３】
この画面によって、登録ＵＲＬにタイトルが設定される。
【０１３４】
図１４中１４０１は、登録ＵＲＬに設定すべきタイトルを入力するための入力欄である。
【０１３５】
１４０２は、ＵＲＬの登録およびタイトルの登録を指示するボタンであり、ユーザが押下することによって、登録するＵＲＬとそれに対応するタイトルとがサーバシステム１０２に送信され、登録される。
【０１３６】
１４０３は、ＵＲＬの登録をキャンセルする場合に使用されるボタンであり、ユーザが押下することによって、サーバシステム１０２へのＵＲＬの登録がキャンセルされる。
【０１３７】
図１５は、ユーザシステム１０１を操作するユーザが図１４のボタン１４０１を押下することによって、ＵＲＬの登録およびタイトルの登録が完了した場合に表示される登録完了メッセージを示す図である。
【０１３８】
図１５中１５０１は、ユーザが登録完了のメッセージを確認したときに操作するボタンであり、押下することによって図１１の画面がＣＲＴ２０８表示される。
【０１３９】
図１６は、ユーザが主力拠点装置１０３を操作して、サーバシステム１０２に登録されたＵＲＬの一覧を閲覧するときに使用する画面を示す図である。
【０１４０】
図１６中１６０１は、ユーザがサーバシステム１０２に登録されたＵＲＬの一覧を閲覧したい時に操作するボタンであり、このボタン１６０１をユーザが押下することによって、サーバシステム１０２に登録されているＵＲＬの一覧が主力拠点装置１０３に表示される。
【０１４１】
１６０２は、サーバシステム１０２に登録されているＵＲＬの一覧が表示される表示欄である。
【０１４２】
１６０３は、サーバシステム１０２に登録されているＵＲＬの総件数が表示される表示欄である。
【０１４３】
１６０４は、図１４に示す画面によってユーザが設定したタイトルが記載されるタイトル欄である。
【０１４４】
１６０５は、ユーザがサーバシステム１０２に登録したＵＲＬが記載されるＵＲＬ欄である。
【０１４５】
１６０６は、登録したＵＲＬをユーザが個別に削除する時に操作される削除ボタンである。
【０１４６】
１６０７は、図１３に示す画面によってユーザが設定したバージョン管理のする／しないが記載されるバージョン管理欄である。
【０１４７】
図１７は、図１６における削除ボタン１６０６のいずれかがユーザによって押下されたときに表示される画面を示す図である。
【０１４８】
この画面を使用することによって、登録された任意のＵＲＬを非登録にすることができる。
【０１４９】
図１７中１７０１は、押下された削除ボタンに対応するＵＲＬを実際に削除するためのボタンであり、これを押下することによって、サーバシステム１０２に登録されている対応するＵＲＬとＵＲＬリンク先データとがデータベース３０６から削除される。
【０１５０】
１７０２は、押下された削除ボタンに対応するＵＲＬの削除をキャンセルする場合に使用されるボタンである。
【０１５１】
図１８は、図１７に示す削除用のボタン１７０１がユーザによって押下されたときに、主力拠点装置１０３のＣＲＴ２０８に表示される削除完了メッセージを示す図である。
【０１５２】
図１８中１８０１は、ユーザが指定したＵＲＬおよびＵＲＬリンク先データの削除が完了したことを通知するメッセージをユーザが確認したときに操作するボタンであり、これをユーザが押下することによって、図１６に示す画面が主力拠点装置１０３のＣＲＴ２０８に表示される。
【０１５３】
図１９は、ユーザが出力拠点装置１０３を操作して、サーバシステム１０２に保存されているＵＲＬリンク先データから閲覧したいものを選択するときに使用される画面を示す図である。
【０１５４】
図１９中１９０１は、サーバシステム１０２に保存されているＵＲＬリンク先データの総件数を表示する表示欄である。
【０１５５】
１９０２は、サーバシステム１０２に保存されているＵＲＬリンク先データに対応するＵＲＬのタイトルが記載されるタイトル欄である。
【０１５６】
１９０３は、サーバシステム１０２に保存されているＵＲＬリンク先データに対応するＵＲＬが記載されるＵＲＬ欄である。
【０１５７】
１９０４は、サーバシステム１０２に保存されているＵＲＬリンク先データのうち閲覧したいものを選択する時に使用されるボタンである。
【０１５８】
１９０５は、サーバシステム１０２に保存されているＵＲＬリンク先データの各々に設定されているバージョン管理のあり／なしを示すバージョン管理欄である。
【０１５９】
図２０は、図１９に示す画面におけるボタン１９０４のいずれかをユーザが操作したときに表示される画面である。
【０１６０】
図２０中２００１は、ユーザによって操作されたボタンに対応するタイトルが記載されるタイトル欄である。
【０１６１】
２００２は、ユーザによって操作されたボタンに対応するＵＲＬが記載されるＵＲＬ欄である。
【０１６２】
２００３は、ユーザによって操作されたボタンに対応するＵＲＬによって特定されるＵＲＬリンク先データのバージョン管理情報（複数のＵＲＬリンク先データの取得日時）が記載される取得日時欄である。なお、このバージョン管理情報は、サーバシステム１０２が対象ＵＲＬで特定されるＵＲＬリンク先データを定期的に取得した場合の取得日時を表しており、図１３に示すボタン１３０１が押下されたときに表示されるものである。
【０１６３】
２００４は、バージョン管理情報のうちのいずれかのバージョンに対応するＵＲＬリンク先データをユーザが閲覧したいときに操作されるリンクボタンであり、これを押下することによって、対応する取得日時に取得されたＵＲＬリンク先データが、後述する表示欄２００８に表示され、ユーザはこれを閲覧することができる。
【０１６４】
２００５は、バージョン管理情報のうちのいずれかのバージョンに対応するＵＲＬリンク先データをユーザが削除したいときに操作される削除ボタンであり、これが押下することによって、対応する取得日時に取得されたＵＲＬリンク先データをユーザは削除することができる。
【０１６５】
２００６は、後述する表示欄２００８に表示されたＵＲＬリンク先データをユーザが印刷したい時にユーザによって操作される印刷ボタンである。このボタンを押下することによって、出力拠点装置１０３に設置されているＰＲＴ２１４でこのＵＲＬリンク先データに基づく印刷が行われる。
【０１６６】
２００７は、図１９に示す登録ＵＲＬ一覧画面に戻りたいときにユーザによって操作されるボタンである。
【０１６７】
２００８は、リンクボタン２００４のいずれかが押下されたとき、対応する取得日時に取得されたＵＲＬリンク先データに基づく画像が表示される表示欄であり、ユーザはこれを閲覧することによって印刷の可否を判断できる。
【０１６８】
図２１は、出力拠点装置１０３を操作するユーザが、図２０に示す印刷ボタン２００６を押下したときに表示されるメッセージを示す図である。
【０１６９】
図２１中２１０１は、図２０の表示欄２００８に表示されＵＲＬリンク先データに基づく印刷を実際に実行することをユーザが指示するときに操作されるボタンである。
【０１７０】
２１０２は、図２０の表示欄２００８に表示されＵＲＬリンク先データに基づく印刷をキャンセルしたい場合に操作されるボタンである。
【０１７１】
図２２は、図２１の印刷ボタン２１０１をユーザが押下することによって出力拠点装置１０３に設置されているＰＲＴ２１４で印刷が実行された場合に表示される印刷完了メッセージを示す図である。
【０１７２】
図２２中２２０１は、ユーザが印刷完了のメッセージを確認したとき操作するボタンであり、これを押下することによって、図２０に示す画面が表示される。
【０１７３】
以上のように本実施の形態では、ユーザシステムを操作するユーザがサーバシステムにＵＲＬを登録すると、サーバシステムが、この登録ＵＲＬで特定されるリンク先データをダウンロードし、サーバシステム内に保存する。さらにサーバシステムは、登録ＵＲＬで特定されるリンク先データを定期的に取得し、サーバシステム内でバージョン管理することができる。
【０１７４】
一方、ユーザは、出力拠点装置を操作することによって、サーバシステムに保存されているリンク先データをダウンロードして閲覧できるとともに印刷させることができる。そして、リンク先データが更新されている場合に、更新バージョンごとにリンク先データ閲覧および印刷することも可能である。
【０１７５】
これにより、ユーザがユーザシステムでＵＲＬを登録した時点でのＵＲＬリンク先データから最新のＵＲＬリンク先データまでを、出力拠点装置を利用できる場所ならどこからでも閲覧および印刷することができる。
【０１７６】
［他の実施の形態］
なお、本発明の目的は、前述の実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【０１７７】
この場合、記憶媒体から読み出されたプログラムコード自体が前述した実施の形態の機能を実現することになり、そのプログラムコードを記憶した記憶媒体は本発明を構成することになる。
【０１７８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【０１７９】
また、コンピュータが読み出したプログラムコードを実行することにより、上記の実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【０１８０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【０１８１】
【発明の効果】
以上詳述したように本発明によれば、ユーザシステムを操作するユーザがサーバシステムにＵＲＬ（ウェブサイト識別情報）を登録すると、サーバシステムが、この登録ＵＲＬで特定されるリンク先データ（ウェブサイト提供情報）をダウンロードし、サーバシステム内に保存する。さらにサーバシステムは、登録ＵＲＬで特定されるリンク先データを定期的に取得し、サーバシステム内でバージョン（取得時期情報）管理する。一方、ユーザは、出力拠点装置を操作することによって、サーバシステムに保存されているリンク先データのバージョンの一覧表から１つを選択し、出力拠点装置は、選択されたバージョンのリンク先データをサーバシステムからダウンロードして閲覧して確認し、印刷装置に印刷させる。
【０１８２】
これにより、ユーザがユーザシステムでＵＲＬを登録した時点でのＵＲＬリンク先データから最新のＵＲＬリンク先データまでのうちのどのバージョンのＵＲＬリンク先データでも、出力拠点装置において印刷させることができる。
【図面の簡単な説明】
【図１】本発明に係るネットワークを介した印刷サービスシステム全体における一実施の形態の構成を示す図である。
【図２】ユーザシステム、サーバシステム及び出力拠点装置の構成を示す図である。
【図３】ユーザシステム、サーバシステム、および出力拠点装置の相互間で行われる各処理を示した図である。
【図４】サーバシステム内の情報処理機能を示す機能図である。
【図５】ユーザがユーザシステムを操作してサーバシステムに対してＵＲＬの登録を行う際のユーザシステムおよびサーバシステムで実行される登録処理の手順を示すフローチャートである。
【図６】サーバシステムで実行されるリンク先データの登録処理の手順を示すフローチャートである。
【図７】出力拠点装置で実行される印刷処理の手順を示すフローチャートである。
【図８】情報格納部内のテーブル群を構成するユーザ情報テーブルのメモリ構成の例を示す図である。
【図９】情報格納部内のテーブル群を構成する登録ＵＲＬテーブルのメモリ構成の例を示す図である。
【図１０】情報格納部内のテーブル群を構成するＵＲＬリンク先データ情報テーブルのメモリ構成の例を示す図である。
【図１１】ユーザシステムを操作するユーザが、ＵＲＬ登録機能を備えたアプリケーションを用いて、任意のウェブサイトのＵＲＬをサーバシステムに登録するときに操作する画面を示す図である。
【図１２】ユーザシステムを操作するユーザが、図１１のＵＲＬ登録用のボタンを押下した場合にＣＲＴに表示される登録確認メッセージを示す図である。
【図１３】図１２に示すボタンが押下されたときにＣＲＴに表示される画面を示す図である。
【図１４】図１３に示すボタンをユーザが押下した後にＣＲＴに表示される画面である。
【図１５】ユーザシステムを操作するユーザが図１４のボタンを押下することによって、ＵＲＬの登録およびタイトルの登録が完了した場合に表示される登録完了メッセージを示す図である。
【図１６】ユーザが主力拠点装置を操作して、サーバシステムに登録されたＵＲＬの一覧を閲覧するときに使用する画面を示す図である。
【図１７】図１６における削除ボタンのいずれかがユーザによって押下されたときに表示される画面を示す図である。
【図１８】図１７に示す削除用のボタンがユーザによって押下されたときに、主力拠点装置のＣＲＴに表示される削除完了メッセージを示す図である。
【図１９】ユーザが出力拠点装置を操作して、サーバシステムに保存されているＵＲＬリンク先データから閲覧したいものを選択するときに使用される画面を示す図である。
【図２０】図１９に示す画面におけるボタンのいずれかをユーザが操作したときに表示される画面である。
【図２１】出力拠点装置を操作するユーザが、図２０に示す印刷ボタンを押下したときに表示されるメッセージを示す図である。
【図２２】図２１の印刷ボタンをユーザが押下することによって出力拠点装置に設置されているＰＲＴで印刷が実行された場合に表示される印刷完了メッセージを示す図である。
【符号の説明】
１０１  ユーザシステム
１０１ａ〜１０１ｃ  複数のユーザシステム
１０２  サーバシステム（取得保存手段）
１０３  出力拠点装置（抽出表示手段、抽出表示手段、取得印刷手段）
１０３ａ〜１０３ｃ  複数の出力拠点装置
１００  ネットワーク（インターネット）
２１４  ＰＲＴ（印刷装置）
３０２  ウェブサイト
３０６  データベース
【図１】
2005062921.tif 000003
【図２】
2005062921.tif 000004
【図３】
2005062921.tif 000005
【図４】
2005062921.tif 000006
【図５】
2005062921.tif 000007
【図６】
2005062921.tif 000008
【図７】
2005062921.tif 000009
【図８】
2005062921.tif 000010
【図９】
2005062921.tif 000011
【図１０】
2005062921.tif 000012
【図１１】
2005062921.tif 000013
【図１２】
2005062921.tif 000014
【図１３】
2005062921.tif 000015
【図１４】
2005062921.tif 000016
【図１５】
2005062921.tif 000017
【図１６】
2005062921.tif 000018
【図１７】
2005062921.tif 000019
【図１８】
2005062921.tif 000020
【図１９】
2005062921.tif 000021
【図２０】
2005062921.tif 000022
【図２１】
2005062921.tif 000023
【図２２】
2005062921.tif 000024